(57)【要約】【課題】ドラムのシーミング部が伸びたり歪んだりするのを防止し、高速・大容量のドラム洗濯機に適用できると共に、洗濯及び脱水行程時にシーミング部により洗濯物が損傷するのを防止することができるドラム洗濯機のドラムを提供する。【解決手段】ドラムのシーミング部と重なるように補強手段を結合し、該シーミング部に働く円周方向の引張力を分散させることによって、ドラムの高速回転時にもシーミング部の分離や歪みを防止し、さらに、シーミング部にリフトが配置されて洗濯物の損傷を防止する。【選択図】図６
2006187609.tif 000002
【特許請求の範囲】
【請求項１】
円周方向の両端が結合されてなるシーミング部を持つボディと、
前記シーミング部に重なるように結合されて、前記シーミング部に働く円周方向の引張力を分散させる補強手段と、
を備えてなるドラム洗濯機のドラム。
【請求項２】
前記補強手段が、
前記シーミング部に重なるように配置される補強パネルと、
前記補強パネルとボディを締め付け、前記ボディの円周方向に働く引張力を前記補強パネルとシーミング部に分散させる締付部材と、
から構成されることを特徴とする請求項１に記載のドラム洗濯機のドラム。
【請求項３】
前記締付部材が、シーミング部を基準に円周方向の両側に配置されることを特徴とする請求項２に記載のドラム洗濯機のドラム。
【請求項４】
前記補強パネルが、シーミング部の外面及び内面に配置されることを特徴とする請求項２に記載のドラム洗濯機のドラム。
【請求項５】
前記補強パネルが、シーミング部の外面及び内面のいずれか一面に配置されることを特徴とする請求項２に記載のドラム洗濯機のドラム。
【請求項６】
前記ボディのシーミング部に対応するようにリフトが配置されることを特徴とする請求項２に記載のドラム洗濯機のドラム。
【請求項７】
前記締付部材が、引張力を前記ボディ、補強パネル及びリフトに分散させるように、前記ボディと補強パネルを貫通して前記リフトに締め付けられることを特徴とする請求項６に記載のドラム洗濯機のドラム。
【請求項８】
前記締付部材が、引張力を前記ボディと補強パネルに分散させるように前記補強パネルとボディのみを貫通し、前記リフトには締め付けられないことを特徴とする請求項６に記載のドラム洗濯機のドラム。
【請求項９】
前記リフトには、前記締付部材の一端部を収容する遊隔溝が形成されることを特徴とする請求項８に記載のドラム洗濯機のドラム。
【請求項１０】
前記締付部材が、ボルトまたはリベットであることを特徴とする請求項２に記載のドラム洗濯機のドラム。
【請求項１１】
円周方向の両端が結合されて外側に突出したシーミング部を持つボディと
前記シーミング部に重なるように結合され、前記シーミング部に働く円周方向の引張力を分散させる補強手段と、
前記シーミング部に対応するように配置されるリフトと、
を備えてなるドラム洗濯機のドラム。
【請求項１２】
前記補強手段が、
前記シーミング部に重なるように配置される補強パネルと、
前記補強パネルとボディとを締め付け、前記ボディの円周方向に働く引張力を、前記補強パネルとシーミング部に分散させる締付部材と、
から構成されることを特徴とする請求項１１に記載のドラム洗濯機のドラム。
【請求項１３】
前記補強パネルが、シーミング部の外面及び内面を囲むように配置されることを特徴とする請求項１２に記載のドラム洗濯機のドラム。
【請求項１４】
前記補強パネルが、シーミング部の外面及び内面のいずれか一面を囲むように配置されることを特徴とする請求項１２に記載のドラム洗濯機のドラム。
【請求項１５】
円周方向の両端が結合されて内側に突出したシーミング部を持つボディと、
前記シーミング部に重なるように結合されて、前記シーミング部に働く円周方向の引張力を分散させる補強手段と、
前記シーミング部を内部に収容するリフトと、
を備えてなるドラム洗濯機のドラム。
【請求項１６】
前記リフトには、シーミング部が収容される収容溝が形成されることを特徴とする請求項１５に記載のドラム洗濯機のドラム。
【請求項１７】
前記補強手段が、
前記シーミング部に重なるように配置される補強パネルと、
前記補強パネルとボディとを締め付け、前記ボディの円周方向に働く引張力を、前記補強パネルとシーミング部に分散させる締付部材と、
から構成されることを特徴とする請求項１５に記載のドラム洗濯機のドラム。
【請求項１８】
前記補強パネルが、シーミング部の外面及び内面を囲むように配置されることを特徴とする請求項１７に記載のドラム洗濯機のドラム。
【請求項１９】
前記補強パネルが、シーミング部の外面及び内面のいずれか一面を囲むように配置されることを特徴とする請求項１８に記載のドラム洗濯機のドラム。
【請求項２０】
円周方向の両端が結合されて内側に突出したシーミング部を持つボディと、
前記シーミング部を内部に収容するリフトと、
を備えてなるドラム洗濯機のドラム。
【発明の詳細な説明】
【技術分野】
【０００１】
本発明は、ドラム洗濯機に係り、より詳細には、高速・大容量のドラム洗濯機に十分適用できる強度を有するドラムに関する。
【背景技術】
【０００２】
一般に、洗濯機は洗濯水の水流による物理的作用と洗剤などによる化学的作用により洗濯物を洗濯する。また、洗濯機は、使用者の選択に応じて、洗濯、熱湯洗濯、すすぎ及び脱水行程を選択的または一括的に行う。
【０００３】
以下、一般のドラム洗濯機のドラムについて、添付の図１乃至図５Ｂを参照しつつ詳細に説明する。
【０００４】
まず、図１及び図２に示すように、一般のドラム洗濯機のドラム１は、円筒形に形成される。洗濯水の流出入のために複数の通孔１ａが穿設される。また、このドラム１は、円周方向の両端がシーミング（seaming）されて円筒形となる。ここで、ドラムのシーミング部１０は、ドラム１の回転軸方向に略平行に形成される。
【０００５】
このシーミング部１０は、図２に示すように、全体的にドラム外面に突出しており、所定間隔ごとにパンチ（punch）で加圧されるので、凹凸形状となる。
【０００６】
具体的に、ドラムのシーミング部１０は、図３に示すように、ドラム１の円周方向の一端が外側に折り曲げられて折畳み部１１を形成し、ドラム１の円周方向の他端が内側に折り曲げられて折畳み部１２を形成する。これら折畳み部１１，１２は互いに係合された状態で加圧されてシーミング部１０となる。
【０００７】
このように構成されたドラム１は、駆動装置により回転しながら洗濯物を洗い（洗濯）・すすぎ・脱水する。
【０００８】
該ドラム１の回転時に、ドラムのシーミング部１０には、図４に示すように、円周方向の両側に引張力Ｆが働き、特に、脱水行程時には、ドラムがより高速回転することからシーミング部１０にはより大きな引張力Ｆが働く。
【発明の開示】
【発明が解決しようとする課題】
【０００９】
しかしながら、かかる一般のドラム洗濯機のドラムには、次のような問題点があった。
【００１０】
第一に、一般のドラムは、図５Ａに示すように、上側折畳み部１２の基端部分Ｐ１に引張力Ｆが集中的に働くため、上側折畳み部１２の基端部分Ｐ１に長時間に亘って引張力が働くと、点線のように伸びてしまう。
【００１１】
第二に、上側折畳み部１２の基端部分Ｐ１が、図５Ａの点線のように伸びると、上側折畳み部１２の折り曲げ部分Ｐ２に引張力がより大きく働き、上側折畳み部１２には、図５Ｂのように下側折畳み部が伸びる方向に力Ｆ１が働き、結果として下側折畳み部の折り曲げ部分Ｐ３が、図５ｂのように徐々に伸びてしまう。
【００１２】
第三に、従来のシーミング部は、伸びたり歪んだりするなど剛性が弱いため、高速・大容量のドラムに適用し難い。
【００１３】
第四に、図４に示すように、リフト２０がシーミング部１０を避けて配置されるため、ドラム内の洗濯物は、該ドラムの回転に際してシーミング部により毛羽立ちが生じるなどの損傷が発生する。
【００１４】
本発明は上記の問題点を解決するためのもので、その目的は、ドラムのシーミング部が伸びたり歪んだりするのを防止し、高速・大容量のドラム洗濯機に適用できるドラム洗濯機のドラムを提供することにある。
【００１５】
本発明の他の目的は、洗濯及び脱水行程時にシーミング部により洗濯物が損傷するのを防止することができるドラム洗濯機のドラムを提供することにある。
【課題を解決するための手段】
【００１６】
上記の目的を達成するために、本発明の一態様によれば、円周方向の両端が結合されてなるシーミング部を持つボディと、前記シーミング部に重なるように結合されて、前記シーミング部に働く円周方向の引張力を分散させる補強手段とを備えてなるドラム洗濯機のドラムが提供される。
【００１７】
また、本発明の他の態様によれば、円周方向の両端が結合されて外側に突出したシーミング部を持つボディと、前記シーミング部に重なるように結合され、前記シーミング部に働く円周方向の引張力を分散させる補強手段と、前記シーミング部に対応するように配置されるリフトと、を備えてなるドラム洗濯機のドラムが提供される。
【００１８】
また、本発明のさらに他の態様によれば、円周方向の両端が結合されて内側に突出したシーミング部を持つボディと、前記シーミング部に重なるように結合されて、前記シーミング部に働く円周方向の引張力を分散させる補強手段と、前記シーミング部を内部に収容するリフトと、を備えてなるドラム洗濯機のドラムが提供される。
【００１９】
また、本発明のさらに他の態様によれば、円周方向の両端が結合されて内側に突出したシーミング部を持つボディと、前記シーミング部を内部に収容するリフトと、を備えてなるドラム洗濯機のドラムが提供される。
【発明の効果】
【００２０】
第一に、本発明の第１及び第２実施例によれば、補強部材を用いてボディへの引張力を分散させられるため、シーミング部に働く引張力を著しく減少させることが可能になる。
【００２１】
第二に、本発明の第１及び第２実施例によれば、シーミング部に働く引張力が減少するので、高速・大容量のドラム洗濯機にも適用可能になる。
【００２２】
第三に、本発明の第１、第２、及び第３実施例によれば、リフトがシーミング部と締付部材を囲むように配置されるため、シーミング部や締付部材に触れて洗濯物が損傷するのを防止することが可能になる。
【００２３】
第四に、本発明の第３実施例によれば、補強手段なしにシーミング部が伸びたり歪んだりすることを防止することが可能になる。
【発明を実施するための最良の形態】
【００２４】
以下、本発明に係るドラム洗濯機のドラムの好適な実施形態について、添付の図面を参照して詳しく説明する。
【００２５】
まず、図６を参照して、本発明によるドラム洗濯機のドラムの第１実施形態について説明する。
【００２６】
本実施形態によるドラムは、円周方向の両端が結合されてなるシーミング部１１０を持つボディ１００と、シーミング部１１０と重なるように結合されて、シーミング部１１０に働く円周方向への引張力Ｆを分散させる補強手段３１０と、を備えてなる。
【００２７】
ここで、シーミング部１１０は、ボディ１００の円周方向の両端がそれぞれ折り曲げられた状態で互いに係合されてなる。シーミング部１１０は、図６に示す形態に限定されるのではなく、多様な形態に折り曲げられることができる。たとえば、ボディの円周方向の両端がそれぞれ２回以上折り曲げられた状態で互いに結合されても良い。
【００２８】
また、シーミング部１１０は、ボディ１００の外側に突出するように形成される。ここで、シーミング部１１０の内面に対応するようにリフト２００が配置されることが好ましい。これは洗濯物がシーミング部１１０に触れて毛羽立ちが生じるなどの損傷が発生するのを防止するためである。この場合、リフト２００は、その内部が埋められたものを使用しても良く、中空のものを使用して良い。
【００２９】
補強手段３１０は、シーミング部１１０を囲むように設けられるが、この様な補強手段の多様な実施例について下記のとおり説明する。
【００３０】
まず、図７を参照して、補強手段３１０の第１実施例を詳しく説明する。同図において、補強手段３１０は、シーミング部１１０と重なるように配置される補強パネル３１１，３１２と、これら補強パネルの円周方向の両側を締め付けて、ボディ１００の円周方向に働く引張力Ｆを、補強パネル３１１，３１２とシーミング部１１０に分散させる締付部材３１３と、で構成される。
【００３１】
ここで、補強パネル３１１，３１２は、シーミング部１１０の内面と外面にそれぞれ重なるように配置される。この場合、補強パネル３１１，３１２の幅（円周方向の長さ）は、シーミング部１１０の幅よりも大きいことが好ましいが、これは、補強パネル３１１，３１２がシーミング部を囲むようにするためである。また、補強パネル３１１，３１２の円周方向の両側は、歪んだり裂けたりするのを避けるために、所定の厚さを持つことが好ましい。したがって、補強パネルの厚さは、作用する引張力及びドラムの容量を考慮して適宜設計すべきである。
【００３２】
また、リフト２００は、補強パネルを覆うように配置されることが好ましい。これは、シーミング部１１０の内面に配置される内側の補強パネルにより洗濯物が損傷するのを防止するためである。
【００３３】
また、補強パネル３１１，３１２とボディ１００は、伸張及び収縮強度が略同じ材質から構成し、ボディ１００への引張力をより効率的に分散可能にすることが好ましい。もちろん、補強パネル３１１，３１２とボディ１００は、伸張及び収縮強度が異なる材質構成することも可能である。
【００３４】
また、締付部材３１３は、補強パネル３１１，３１２とボディ１００とを貫通してリフト２００に締め付けられる。この締付部材３１３は、シーミング部１１０の円周方向の両側においてシーミング部１１０の長さ方向に沿って複数配置される。
【００３５】
また、締付部材３１３は、ナットをリフト２００に固定し、該ナットにボルトを締め付ける方式とする。このような締付部材を適用すると、リフト２００をドラムのボディ１００に固定させるための別途の締付部材を使用せずに済み、かつ、ドラムのボディ１００の内面に締付部材３１３が突出するのを防止することができる。
【００３６】
また、図示していないが、ボルトを直接リフトに固定させる方式を適用することも可能である。
【００３７】
図８を参照して、補強手段を構成する締付部材３１０の他の設置例について説明する。
【００３８】
同図において、締付部材３１５は、補強パネル３１１，３１２とボディ１００のみを貫通し、リフト２００には締め付けられない。この場合、ボディ１００に対向するリフト２００の一面には、締付部材３１３の一端部が収容されるように遊隔溝２０１が形成される。この場合にも、締付部材３１５は、ボルトとナットとからなる。
【００３９】
このように補強パネル３１１，３１２を構成すると、ボディ１００の引張力がリフト２００にほとんど伝えられない。
【００４０】
また、図９に示すように、締付部材の他の例も可能である。本例では、締付部材３１６をリベットとする以外は、図８と略同様に構成されるので、その詳細説明は省略するものとする。もちろん、本例の締付部材を、図８のように遊隔溝が形成された構造に適用することも可能である。
【００４１】
ここで、リベットは、補強パネル３１１，３１２とボディ１００のみを締め付けるもので、リフト２００には締め付けられず、よって、ボディ１００の引張力がリフト２００にほとんど伝えられない。
【００４２】
次に、上記のように構成される第１実施形態によるドラムの作用について説明する。
【００４３】
補強手段３１０には、ドラムの引張力Ｆが円周方向の両側に働く。特に、脱水行程時にドラムが高速回転するので、補強手段３１０に働く引張力はより大きくなる。
【００４４】
このときに、引張力Ｆは、締付部材（３１３，３１５または３１６）により補強パネル３１１，３１２とシーミング部１１０及び／またはリフト２００に分散される。
【００４５】
たとえば、締付部材３１３が、図７に示すように補強パネル３１１，３１２、ボディ１００及びリフト２００に締め付けられる場合、引張力Ｆは補強パネル３１１，３１２、ボディ１００及びリフト２００に分散される（Ｆ＝Ｆ１＋Ｆ２＋Ｆ３＋Ｆ４）。
【００４６】
また、締付部材３１５、３１６が、図８及び図９に示すように、補強パネル３１１，３１２及びボディ１００のみを締め付ける場合、引張力は、補強パネル３１１，３１２とボディ１００にのみ分散される（Ｆ=Ｆ１＋Ｆ２＋Ｆ３）。
【００４７】
すなわち、補強手段３１０により引張力が分散されるので、シーミング部１１０には、図７乃至図９に示すように、一部の引張力Ｆ２のみが働くようになる。
【００４８】
一方、外側補強パネル３１１がシーミング部１１０の外面を囲んでおり、内側補強パネル３１２がシーミング部１１０の内面を囲んでいるので、シーミング部１１０が伸びるのを根本的に防止できる。
【００４９】
また、内側補強パネル３１２は、ボディ１００の引張力作用方向に対して略水平なので、ボディ１００の引張力を外側補強パネル３１１及びシーミング部１１０よりも多く吸収することができる。
【００５０】
また、締付部材３１３，３１５，３１６と内側補強パネル３１２は、リフト２００によりドラム内部に露出されないので、締付部材と補強パネルに洗濯物が触れるのを防ぎ、洗濯物が損傷するのを防止することができる。
【００５１】
次に、図１０を参照して、上記補強手段に関する第２実施例について説明する。
【００５２】
第２実施例による補強パネル３２１は、シーミング部１１０の外面にのみ重なるように配置された点に特徴がある。したがって、補強手段３２０は、外側補強パネル３２１と締付部材３２３と、で構成される。
【００５３】
ここで、補強パネル３２１はシーミング部１１０の外面を囲んでおり、リフト２００はシーミング部１１０の内面を囲んでいるので、シーミング部１１０が伸びるのを根本的に遮断できる。
【００５４】
また、補強手段３２０は、リフト２００を固定させた状態でドラムの外側から固定作業ができるので、組立時間を著しく減らすことができる。そして、締付部材３２３は、上述の如く補強パネル３２１、ボディ１００及びリフト２００を締め付けても良く、補強パネル３２１とボディ１００のみを締め付けても良い。
【００５５】
これにより、ドラムの引張力Ｆは、外側補強パネル３２１とシーミング部１１０に分散される（Ｆ＝Ｆ１＋Ｆ２）。また、外側補強パネル３２１は、引張力を分散させる機能の他、シーミング部１１０が分離するのを防ぐ機能も果たす。
【００５６】
次に、図１１を参照して、第１実施形態によるドラムに適用される補強手段のさらに第３実施例について説明する。第３実施例は、補強パネル３３２がシーミング部１１０の内面にのみ重なるように配置された点に特徴がある。したがって、補強手段３３０は、内側補強パネル３３２と締付部材３３３と、で構成される。
【００５７】
ここで、内側補強パネル３３２は、ボディ１００の引張力Ｆの作用方向に対して略水平に配置されるので、ボディ１００の引張力をシーミング部１１０よりも多く吸収できる。したがって、第２実施例の補強手段に比べて、引張力吸収の側面ではより効率的となる。
【００５８】
また、締付部材３３３は、上述したように、補強パネル３３２、ボディ１００及びリフト２００を締め付けても良く、補強パネル３３２とボディ１００のみを締め付けても良い。
【００５９】
これにより、ドラムの引張力Ｆは、内側補強パネル３３２とシーミング部１１０に分散される（Ｆ＝Ｆ１＋Ｆ２）。
【００６０】
以下、図１２を参照して、本発明によるドラム洗濯機のドラムの第２実施形態について説明する。
【００６１】
本実施形態によるドラムは、円周方向の両端が結合されて内側に突出したシーミング部１１０を持つボディ４１０と、シーミング部１１０と重なるように結合されて、シーミング部１１０に働く円周方向の引張力Ｆを分散させる補強手段４１０と、シーミング部１１０を内部に収容するリフト２００と、を備えてなる。
【００６２】
ここで、リフト２００には、シーミング部１１０の収容のための収容溝２１０が形成される。もちろん、リフトの内部を中空にした構造では別途の収容溝を形成する必要がない。
【００６３】
補強手段４１０は、シーミング部１１０と重なるように配置される補強パネル４１１と、補強パネル４１１とボディ１００を締め付けて、ボディ１００の円周方向に働く引張力Ｆを、補強パネル４１１とシーミング部１１０に分散させる締付部材４１３（図１３参照）と、で構成される。
【００６４】
次に、第２実施形態に適用される補強手段の様々な例について説明する。
【００６５】
図１３は、第２実施形態によるドラムに適用される補強手段の一例を示す図である。
【００６６】
同図において、補強パネル４１１，４１２は、シーミング部１１０の外面及び内面をそれぞれ囲むように配置される。すなわち、内側補強パネル４１２は、シーミング部１１０の内側を囲み、外側補強パネル４１１は、シーミング部１１０の外側を囲み、内側補強パネル４１２の突出した部分は、リフト２００の収容溝２１０に接触する。したがって、リフト２００は、シーミング部１１０と内側補強パネル４１２が洗濯物と直接触れるのを防止する他、シーミング部１１０が伸びるのを防止する機能も行う。
【００６７】
これ以外の締付部材４１３の構成は、ドラムの第１実施形態におけると同様なので、これについての説明は省略するものとする。
【００６８】
次に、図１４を参照して、第２実施形態によるドラムに適用される補強手段の他の例について説明する。
【００６９】
同図において、補強パネル４２１は、シーミング部１１０の外面を囲むように設置される。ここで、リフト２００の収容溝２００に、シーミング部１１０が接触するので、リフト２００によりシーミング部１１０の分離や歪みを防止するだけでなく、洗濯物とシーミング部１１０との接触するのを防止する機能を持つ。
【００７０】
締付部材４２３は、補強パネル４２１とボディ１００を貫通してリフト２００に締め付けられる。もちろん、この場合、リフトに締め付けられない構成にしても構わない。
【００７１】
次に、図１５を参照して、第３実施形態によるドラムに適用される補強手段のさらに他の例について説明する。
【００７２】
同図において、補強パネル４３２は、シーミング部１１０の内面を囲むように設置される。ここで、リフト２００の収容溝２１０にシーミング部１１０と補強パネル４３２の突出した部分が収容される。
【００７３】
また、締付部材４３３は、補強パネル４３２とボディ１００を貫通してリフト２００に締め付けられる。
【００７４】
最後に、図１６を参照して、本発明によるドラム洗濯機のドラムの第３実施形態について説明する。
【００７５】
本実施形態によるドラムは、円周方向の両端が結合されて内側に突出したシーミング部１１０を持つボディ１００と、シーミング部１１０を内部に収容されるリフト２００と、を備えてなる。
【００７６】
ここで、リフト２００には、シーミング部１１０が接触しながら収容される収容溝２１０を形成することが好ましい。
【００７７】
第３実施形態は、上述の第１及び第２実施形態と違い、別途の補強手段を備えなくても、リフト２００を用いてシーミング部１１０が伸びたり歪んだりするのを防止することができる。したがって、第３実施形態によるドラムでは、シーミング部１１０に働く引張力が、リフト２００にのみ分散されるという点が第１、第２実施例との差である。
【００７８】
以上、具体例を挙げて本発明を説明してきたが、これら具体例に限定されることなく、本発明は、その趣旨及び範疇を逸脱しない範囲内で様々な特定形態に具体化できるということは、該当技術分野で通常の知識を持つ者にとっては自明である。したがって、本発明の範囲は、上記の具体例によって定められてはならず、請求項の範囲及びその同等範囲で定められるべきである。
【図面の簡単な説明】
【００７９】
【図１】一般のドラム洗濯機のドラムを示す側面図である。
【図２】図１のドラムのシーミング部を示す拡大図である。
【図３】図２のＩ−Ｉ線断面図である。
【図４】図１のドラムが回転するのに従ってシーミング部に引張力が働く様子を示す断面図である。
【図５Ａ】図４のシーミング部に引張力が働く様子を示す断面図である。
【図５Ｂ】図４のシーミング部に引張力が働いてシーミング部が歪んだ様子を示す断面図である。
【図６】本発明によるドラムの第１実施形態を示す断面図である。
【図７】図６に示す補強手段の一例を示す断面図である。
【図８】図７の締付部材の他の設置例を示す断面図である。
【図９】図６の補強手段を構成する締付部材の他の形態を示す断面図である。
【図１０】図６に示す補強手段の他の例を示す断面図である。
【図１１】図６に示す補強手段のさらに他の例を示す断面図である。
【図１２】本発明によるドラム洗濯機のドラムの第２実施形態を示す断面図である。
【図１３】図１２に示す補強手段の一例を示す断面図である。
【図１４】図１２に示す補強手段の他の例を示す断面図である。
【図１５】図１２に示す補強手段のさらに他の例を示す断面図である。
【図１６】本発明によるドラム洗濯機のドラムの第３実施形態を示す断面図である。
【符号の説明】
【００８０】
１００    ボディ
１１０    シーミング部
２００    リフト
２０１    遊隔溝
３１０，３２０，３３０，４１０，４２０，４３０    補強手段
３１１，３１２，３２１，３３２，４１１，４１２，４２１，４３２    補強パネル
３１３，３１５，３１６，３２３，３３３，４１３，４２３，４３３，５１３    締付部材
【図１】
2006187609.tif 000003
【図２】
2006187609.tif 000004
【図３】
2006187609.tif 000005
【図４】
2006187609.tif 000006
【図５Ａ】
2006187609.tif 000007
【図５Ｂ】
2006187609.tif 000008
【図６】
2006187609.tif 000009
【図７】
2006187609.tif 000010
【図８】
2006187609.tif 000011
【図９】
2006187609.tif 000012
【図１０】
2006187609.tif 000013
【図１１】
2006187609.tif 000014
【図１２】
2006187609.tif 000015
【図１３】
2006187609.tif 000016
【図１４】
2006187609.tif 000017
【図１５】
2006187609.tif 000018
【図１６】
2006187609.tif 000019